(57)【要約】【課題】従来存在を知らせる伝達手段として反射シートの反射や白熱電球・ＬＥＤ又はキセノンランプ等の点灯・点滅で相手に存在を知らせているが、悪天候等で使用するには明るさが不足したり高輝度であっても存在位置を伝達し難い問題があった。【解決手段】本発明は、ランプの発光部分を構成する透明な外郭部材の内側にキセノン又はメタルハライドランプからなるキセノン放電を利用した光源と蓄光材付き外筒を設け、更にその外筒の位置を移動させることでキセノンの閃光点滅から蓄光材の励起光を利用した連続点灯光に切り換えができる２機能の可変標示により被視認性の向上を図った。【選択図】    図１
2004319237.tif 000002
【特許請求の範囲】
【請求項１】
キセノンランプを光源とする閃光ランプにおいて、その光源の長手方向に沿って蓄光材を一部又は全周に亘って被覆した外筒を設け、その外筒は光源に対し回転又は移動することが可能であり、その蓄光材付き外筒から放射する励起光を利用することによって、キセノンランプの閃光点滅から連続点灯に切り替えできることを特長とした２機能標示ランプ。
【請求項２】
キセノン又はメタルハライドランプを光源とする照明ランプにおいて、その光源の長手方向に沿って蓄光材を一部又は全周に亘って被覆した外筒を設け、その外筒は光源に対し回転又は移動することが可能であり、その蓄光材付き外筒から放射する励起光を標示ランプとして利用し、且つ照明ランプと標示ランプは個別の回路で切り替えできることを特長とした２機能ランプ。
【発明の詳細な説明】
【０００１】
【発明の属する技術分野】
本発明は、主に存在を伝える標示ランプとしてキセノンランプ等からなる光源と蓄光材の両方の特性を利用し発光させて被視認性を向上させたものである。又、照明ランプとしてキセノン又はメタルハライドランプ等からなる光源を閃光点滅させ蓄光材と一体化することにより特長ある標示ランプとして１個のランプで２機能化するものである。
【０００２】
【従来の技術】
従来この種の伝達手段としては、反射シートや白熱電球・ＬＥＤ又はキセノンランプ等を装着し点灯や閃光点滅で被視認性を確保しているのが一般的である。
【０００３】
【発明が解決しようとする課題】
しかしながら、反射シートは相手からの光が必要であり自発光の白熱電球ランプやＬＥＤの光源は、夜間悪天候で使用するには明るさが不足したりキセノンランプの高輝度点滅光源では、明るく被視認性はあるが存在位置を把握することに問題があった。
【０００４】
このようなことから、高輝度で且つ明るさに持続性があり被視認性は勿論のこと存在位置把握の向上が図れる自発光の光源が求められる。
【０００５】
【課題を解決するための手段】
本発明は、ランプの発光部分を構成する透明な外郭部材の内側にキセノン又はメタルハライドランプからなる光源とその光源で励起発光する蓄光材を設け、光源の閃光点滅と蓄光材の発光で存在位置を明確にし、且つ昼間など周囲が明るい場所では高輝度の閃光点滅のみとし、夜間など周囲が暗い場所では蓄光材の連続発光で被視認性の向上を図る。又通常は照明ランプとして使用するキセノン又はメタルハライドランプに蓄光材を加え、更に照明ランプとは別に設けるスイッチに切り換え可能とし、切り換えられた回路でキセノン又はメタルハライドランプ内のキセノンガスを閃光点滅させ蓄光材の効果と合体することにより被視認者への自身の存在を強調する。
【０００６】
【発明の実施の形態】
図１は、標示ランプへの使用例を示し透明レンズ１ａ，を含む外郭部材２ａ，の内部にキセノンランプ３，と蓄光材付き外筒５ａ，反射板付き内筒７，を装着したものである。
【０００７】
図２は、照明ランプへの使用例を示し透明レンズ１ｂ，を含む外郭部材２ｂ，の内部にキセノン又はメタルハライドランプ４，と蓄光材付き外筒５ｂ，を装着したものである。
【０００８】
図３（ａ）（ｂ）は、図１の発光部の詳細で（ａ）はキセノンランプ３，からの閃光が直接蓄光材６，を励起させ発光しもう一方は反射板８ａ，に反射して蓄光材６，を励起させることですべての光が蓄光の励起光になる。（ｂ）は蓄光材付き外筒５ａ，を１８０°回転することによりすべての光がキセノン光のみとなる。反射板８ａ，は反射板付き内筒７，を介しなくても単独に取り付けても同様の効果が得られる。
【０００９】
図４（ａ）（ｂ）は、キセノン又はメタルハライドランプ４，と蓄光材付き外筒５ｃ，の構造の違いを示したものでありキセノン光と蓄光の励起光の組み合わせを外部環境により使い分ける。反射板８ｂ，は状況により外してもよい。
【００１０】
図５（ａ）は、キセノンランプ３，の周りに蓄光材付き内筒９，を設けキセノンランプ３，からの刺激の強い光を蓄光を利用して弱め反射板８ｂ，からの反射光として利用した夜間の使用例を示す。キセノンランプ３，に直接蓄光材６，を被覆しても同様の効果が得られる。
【００１１】
図６（ａ）（ｂ）は、キセノン又はメタルハライドランプ４，を蓄光材付き外筒５ｄ，で覆って蓄光材の励起発光を利用する状態と、蓄光材付き外筒５ｄ，を移動させキセノン又はメタルハライドランプ４，を単独発光させる切り替えの状態を示す。
【００１２】
【発明の効果】
本発明は、キセノンランプを光源とする標示ランプの光源を中心に蓄光材付き外筒，反射板付き内筒，蓄光材付き内筒，及び反射板，の組み合わせを変えることによりキセノンランプの閃光点滅と蓄光材の励起光を有効に利用でき、閃光と連続光の使い分けによる被視認性の向上が出来る。
又、キセノン又はメタルハライドランプを光源とした照明ランプには、蓄光材を利用した特長のある被視認性の標示機能を持たせ、その標示機能のランプは照明ランプのグレアを押さえしかも存在感を充分認識させる目的から光源のキセノンランプを閃光点滅として蓄光材の励起光を合体させた連続光とし、個別の回路を設けて本来の照明ランプの機能を変えることなく標示ランプとして設定する。
尚、メタルハライドランプの閃光点滅はメタルハライドの励起点灯前のキセノン放電を利用する。キセノンランプの閃光点滅に使用される回路構成は原理的には一般に知られているカメラのストロボ回路と同等で、トリガーコンデンサー、主コンデンサー、充電抵抗、抵抗、スイッチ等から構成されている。又はキセノンやメタルハライドの照明ランプの光をタイマー回路を設定して閃光点滅とする。以上の閃光サイクルは５秒以内に設定するものである。（特願２００３−０４２０５６参照）
【図面の簡単な説明】
【図１】本発明の標示ランプのキセノンランプ３，と一部蓄光材付き外筒５ａ，及び反射板付き内筒７，の取り付け状態を示す。
【図２】本発明の照明ランプのキセノン又はメタルハライドランプ４，と全周蓄光材付き外筒５ｂ，及び放物面反射鏡１０，の取り付け状態を示す。
【図３】本発明の図１での蓄光材６，を半分被覆した蓄光材付き外筒５ａ，を１８０°回転させた組み合わせ例を示し、（ａ）は蓄光を利用して夜間に使用し、（ｂ）はキセノン光を利用して昼間に使用する。
【図４】本発明の標示ランプのキセノン又はメタルハライドランプ４，と蓄光材６，を半分被覆した蓄光材付き外筒５ｃ，の組み合わせ例を示し図３と同様に（ａ）は夜間、（ｂ）は昼間用とした一例を示す。状況により蓄光材付き外筒５ｃ，を連続回転させてもよい。
【図５】本発明の標示ランプの図４（ａ）と同様に夜間での使用例を示し、キセノンランプ３，の直接の反射光を排除し蓄光を主体とした標示に変えたものである。蓄光材付き内筒９，の蓄光材は全周に被覆をしてもよい。
【図６】本発明の標示ランプのキセノン又はメタルハライドランプ４，と蓄光材を全周に被覆した蓄光材付き外筒５ｄ，の位置を示し、（ａ）は夜間、（ｂ）は昼間への使用例を示す。
【符号の説明】
１ａ，１ｂ                                    透明レンズ
２ａ，２ｂ                                    外郭部材
３                                  キセノンランプ
４                                                キセノン又はメタルハライドランプ
５ａ，５ｂ，５ｃ，５ｄ            蓄光材付き外筒
６                                  蓄光材
７                                  反射板付き内筒
８ａ，８ｂ                                    反射板
９                                  蓄光材付き内筒
１０                        放物面反射鏡
【図１】
2004319237.tif 000003
【図２】
2004319237.tif 000004
【図３】
2004319237.tif 000005
【図４】
2004319237.tif 000006
【図５】
2004319237.tif 000007
【図６】
2004319237.tif 000008